【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
画素が１フィールド期間内に発光する総発光期間長を制御する表示パネル駆動方法であって、
画素について１フィールド期間内に複数の発光期間が規定されている場合に、発光期間と発光期間との間の消灯期間を両方向から狭めあるいは両方向に広げるように、発光期間の終了タイミングと発光期間の開始タイミングを可変制御する表示パネル駆動方法。
【請求項２】
請求項１に記載の表示パネル駆動方法において、
画素に規定された複数の発光期間における初回の発光期間の開始タイミングから最終回の発光期間の終了タイミングまでの期間が、１フィールド期間長の２５％以上７５％以下である表示パネル駆動方法。
【請求項３】
請求項１又は請求項２に記載の表示パネル駆動方法において、
画素に規定された複数の発光期間における初回の発光期間の開始タイミングと最終回の発光期間の終了タイミングは固定されている表示パネル駆動方法。
【請求項４】
請求項１又は請求項２に記載の表示パネル駆動方法において、
画素に規定された複数の発光期間における最終回の発光期間の終了タイミングが、総発光期間長を満たすように可変制御される表示パネル駆動方法。
【請求項５】
請求項１又は請求項２に記載の表示パネル駆動方法において、
画素に規定された複数の発光期間のうち、ある１つの発光期間の終了タイミングの単位変化又はある一つの発光期間の開始タイミングの単位変化により消灯期間を制御する表示パネル駆動方法。
【請求項６】
画素が１フィールド期間内に発光する総発光期間長を制御する表示パネル駆動部であって、画素について１フィールド期間内に複数の発光期間が規定されている場合に、発光期間と発光期間との間の消灯期間を両方向から狭めあるいは両方向に広げるように、発光期間の終了タイミングと発光期間の開始タイミングを可変制御する表示パネル駆動部と、
アクティブマトリクス駆動方式に対応する画素構造を有する表示パネルとを有する表示装置。
【請求項７】
画素が１フィールド期間内に発光する総発光期間長を制御する表示パネル駆動部であって、画素について１フィールド期間内に複数の発光期間が規定されている場合に、発光期間と発光期間との間の消灯期間を両方向から狭めあるいは両方向に広げるように、発光期間の終了タイミングと発光期間の開始タイミングを可変制御する表示パネル駆動部を有する表示パネル駆動装置。
【請求項８】
画素が１フィールド期間内に発光する総発光期間長を制御する表示パネル駆動部であって、画素について１フィールド期間内に複数の発光期間が規定されている場合に、発光期間と発光期間との間の消灯期間を両方向から狭めあるいは両方向に広げるように、発光期間の終了タイミングと発光期間の開始タイミングを可変制御する表示パネル駆動部と、
アクティブマトリクス駆動方式に対応する画素構造を有する表示パネルと、
システム制御部と、
システム制御部に対する操作入力部とを有する電子機器。
【手続補正２】
【補正対象書類名】明細書
【補正対象項目名】００１６
【補正方法】変更
【補正の内容】
【００１６】
この他、発光期間長の可変制御には、電流書き込み型の画素回路の場合に、書き込み電流値を増加させて書き込み時間を短縮できる効果がある。
また、発光期間長の可変制御には、動画像の画質を向上させる効果がある。図７〜図９を用いてこの効果を説明する。なお、図７〜図９の各横軸は画面内の位置を示し、縦軸は経過時間を示す。いずれも、画面内で輝点が移動する場合の視点の動きを表している。
【手続補正３】
【補正対象書類名】明細書
【補正対象項目名】００１７
【補正方法】変更
【補正の内容】
【００１７】
図７は、発光期間が１フィールド期間の１００％で与えられるホールド型のディスプレイの表示特性を示している。この種のディスプレイ装置の代表例には、液晶ディスプレイがある。
図８は、発光期間が１フィールド期間に対して十分短いインパルス型のディスプレイの表示特性を示している。この種のディスプレイ装置の代表例には、ＣＲＴ（Cathode Ray Tube）ディスプレイがある。
【手続補正４】
【補正対象書類名】明細書
【補正対象項目名】００２０
【補正方法】変更
【補正の内容】
【００２０】
一般に、フィールド周波数が６０Ｈｚで与えられる動画像の場合、発光期間を１フィールド期間の７５％以上にすると動画特性が著しく低下することが知られており、発光期間を１フィールド期間の５０％未満に抑制することが好ましいとされている。
【手続補正５】
【補正対象書類名】明細書
【補正対象項目名】００２５
【補正方法】変更
【補正の内容】
【００２５】
ところが、１フィールド期間内に発光期間と消灯期間を設ける場合には、フリッカの抑制が新たな技術課題となる。一般に、フィールド周波数が６０Ｈｚで与えられる動画像の場合、発光期間を１フィールド期間の２５％未満にするとフリッカが特に顕在化することが知られており、発光期間を１フィールド期間の５０％以上にすることが好ましいとされている。
【手続補正６】
【補正対象書類名】明細書
【補正対象項目名】００３３
【補正方法】変更
【補正の内容】
【００３３】
ところが、１フィールド期間を前半期間と後半期間に分ける駆動方法では、総発光期間が１フィールド期間の５０％の場合に、２５％の発光→２５％の消灯→２５％の発光→２５％の消灯が繰り返し発生する。
この発光形態は、図１６に示すように、１フィールド期間の７５％を発光期間とする場合と同じ視点の動きを発生してしまう。
【手続補正７】
【補正対象書類名】明細書
【補正対象項目名】００３７
【補正方法】変更
【補正の内容】
【００３７】
発明者の提案する駆動技術では、奇数番目の発光期間の終了タイミングと偶数番目の発光期間の開始タイミングをそれぞれ可変することにより総発光期間長を制御する。すなわち、発光期間と発光期間の隙間（消灯期間）を両方向から狭めるように、総発光期間長を制御する。
【手続補正８】
【補正対象書類名】明細書
【補正対象項目名】００３９
【補正方法】変更
【補正の内容】
【００３９】
また、最終回の発光期間の終了タイミングについては、総発光期間長に応じて可変することもできる。ただし、この場合も、発光期間と発光期間の隙間（消灯期間）を両方向から狭めるように総発光期間長の制御動作が同時に実行されるので、動画像の表示時における視点の動き幅の拡大を抑制することができる。
【手続補正９】
【補正対象書類名】明細書
【補正対象項目名】００４５
【補正方法】変更
【補正の内容】
【００４５】
発光期間の具体的な決定方法については後述するが、発光タイミング決定部２３は、発光期間と発光期間の間の期間（消灯期間）を両方向から狭めるように各回に対応する発光期間の開始タイミングと終了期間を決定する。
【手続補正１０】
【補正対象書類名】明細書
【補正対象項目名】００６２
【補正方法】変更
【補正の内容】
【００６２】
また、図２４は、外部から指定された総発光期間長（割合ＤＵＴＹ）が、１フィールド期間の４０％〜６０％で与えられる場合の駆動例である。
因みに、図２２〜図２４の場合も、前述した駆動例の場合と同様、２０ラインで位相関係が一巡するものとして表しているが、実際にはＭラインで位相関係が一巡するように設定する。
【手続補正１１】
【補正対象書類名】明細書
【補正対象項目名】００６７
【補正方法】変更
【補正の内容】
【００６７】
(0.4＜DUTY＜0.6の場合)
発光期間：
〔(s-1)/m〕・Ｔ＜ｔ＜{〔(s-1)/m〕+DUTY}・Ｔ
消灯期間：
{〔(s-1)/m〕+DUTY}・Ｔ＜ｔ＜{〔(s-1)/m〕+1}・Ｔ
【手続補正１２】
【補正対象書類名】図面
【補正対象項目名】図４
【補正方法】変更
【補正の内容】
【図４】
2008304490.tif 000001
【手続補正１３】
【補正対象書類名】図面
【補正対象項目名】図５
【補正方法】変更
【補正の内容】
【図５】
2008304490.tif 000002
【手続補正１４】
【補正対象書類名】図面
【補正対象項目名】図７
【補正方法】変更
【補正の内容】
【図７】
2008304490.tif 000003
【手続補正１５】
【補正対象書類名】図面
【補正対象項目名】図８
【補正方法】変更
【補正の内容】
【図８】
2008304490.tif 000004
【手続補正１６】
【補正対象書類名】図面
【補正対象項目名】図９
【補正方法】変更
【補正の内容】
【図９】
2008304490.tif 000005
【手続補正１７】
【補正対象書類名】図面
【補正対象項目名】図１０
【補正方法】変更
【補正の内容】
【図１０】
2008304490.tif 000006
【手続補正１８】
【補正対象書類名】図面
【補正対象項目名】図１１
【補正方法】変更
【補正の内容】
【図１１】
2008304490.tif 000007
【手続補正１９】
【補正対象書類名】図面
【補正対象項目名】図１２
【補正方法】変更
【補正の内容】
【図１２】
2008304490.tif 000008
【手続補正２０】
【補正対象書類名】図面
【補正対象項目名】図１３
【補正方法】変更
【補正の内容】
【図１３】
2008304490.tif 000009
【手続補正２１】
【補正対象書類名】図面
【補正対象項目名】図１４
【補正方法】変更
【補正の内容】
【図１４】
2008304490.tif 000010
【手続補正２２】
【補正対象書類名】図面
【補正対象項目名】図１５
【補正方法】変更
【補正の内容】
【図１５】
2008304490.tif 000011
【手続補正２３】
【補正対象書類名】図面
【補正対象項目名】図１６
【補正方法】変更
【補正の内容】
【図１６】
2008304490.tif 000012
【手続補正２４】
【補正対象書類名】図面
【補正対象項目名】図１８
【補正方法】変更
【補正の内容】
【図１８】
2008304490.tif 000013
【手続補正２５】
【補正対象書類名】図面
【補正対象項目名】図１９
【補正方法】変更
【補正の内容】
【図１９】
2008304490.tif 000014
【手続補正２６】
【補正対象書類名】図面
【補正対象項目名】図２２
【補正方法】変更
【補正の内容】
【図２２】
2008304490.tif 000015
【手続補正２７】
【補正対象書類名】図面
【補正対象項目名】図２３
【補正方法】変更
【補正の内容】
【図２３】
2008304490.tif 000016
【手続補正２８】
【補正対象書類名】図面
【補正対象項目名】図２４
【補正方法】変更
【補正の内容】
【図２４】
2008304490.tif 000017
【手続補正２９】
【補正対象書類名】図面
【補正対象項目名】図２５
【補正方法】変更
【補正の内容】
【図２５】
2008304490.tif 000018
【手続補正３０】
【補正対象書類名】図面
【補正対象項目名】図２６
【補正方法】変更
【補正の内容】
【図２６】
2008304490.tif 000019
【手続補正３１】
【補正対象書類名】図面
【補正対象項目名】図３２
【補正方法】変更
【補正の内容】
【図３２】
2008304490.tif 000020